(57)【特許請求の範囲】
【請求項１】
ケーシングの正面側所要部に入光窓が設けられ、その内部に濾波用フィルターを介して受光部が内蔵されていて、墨出し装置本体から照射されたレーザー光が入光窓より入光して受光部の中心で受光されたとき、所定の受光信号が発せられるようになっている墨出し装置用のレーザー受光器において、ケーシングの正面側には、底面が前記受光部の受光面と略面一状態となるような凹所を設け、この凹所底面に、墨出し装置本体から照射されるレーザー光を受光部の中心に位置合わせするための位置合わせ線を形成してなることを特徴とする墨出し装置用のレーザー受光器。
【請求項２】
前記凹所は、ケーシング正面側における入光窓、濾波用フィルター及び受光部が配設される領域を挟んでその上下両側に設けてあることを特徴とする請求項１に記載の墨出し装置用のレーザー受光器。
【発明の詳細な説明】
【０００１】
【発明の属する技術分野】
本発明は、建築施工現場などにおいて基礎面上に基準墨や間仕切り墨を入れるなどの墨出し作業を行うのに使用されるレーザー式の墨出し装置に関し、特にこの墨出し装置に用いられるレーザー受光器に関するものである。
【０００２】
【従来の技術】
この種の墨出し装置を図８の略図によって簡単に説明すると、例えば基礎面上に基準墨を入れる場合には、基礎面Ｇの基準点上に墨出し装置本体Ａの中心を合わせて設置し、もう一方の基準点上にレーザー受光器Ｂの中心線を合わせて設置する。なお、墨出し装置本体Ａはレーザー光を水平方向に９０度の間隔で２方向に照射する光源部を有する。しかして、墨出し装置本体Ａを水平旋回角度調整しながら、１つの出射孔からレーザー光Ｃをレーザー受光器Ｂに向けて照射する。この時、レーザー光Ｃが受光部の中心に正しく入光されると、例えば緑色ランプが点灯しブザーが鳴り、設置を完了する。この位置をＸ側の基準点とする。この後、Ｘ側にあったレーザー受光器ＢをＹ側へ９０度移動させ、墨出し装置本体Ａのもう１つの出射孔からのレーザー光が入光するように位置決めし、この受光器Ｂの中心線がＹ側の基準点となる。こうして墨出し装置本体Ａの光源部からＸ方向とＹ方向とに出射される２つのレーザー光を利用し、基礎面上に線引きすることにより、互いに直交する２方向の墨出し作業を１度に行うことができる。
【０００３】
レーザー受光器Ｂは、図６の（Ａ）に示すように略六面体からなるケーシング１を有し、このケーシング１の正面側所要部に入光窓２が設けられ、この入光窓２の内部に、図７に示すように濾波用フィルター３，４を介して受光部５が内蔵されている。濾波用フィルター３，４は、ある範囲の周波数帯域のレーザー光のみを通過させるフィルターである。また受光部５は、基板６の表面に受光素子（フォトダイオード）５ａを蒸着したもので、この受光素子の表面を受光面とし、その左右方向の中心位置が受光部５の中心Ｏとなる。
【０００４】
また、このレーザー受光器１０Ｂには、墨出し装置本体から照射されたレーザー光が入光窓２よりフィルター３，４を通って受光部５で受光されたとき、受光信号を発して表示する手段が設けてある。即ち、レーザー光が受光部５の中心Ｏで受光されたとき（レーザー光が正しく入光したとき）には、例えば緑色のダイオードランプ７が点灯し、ブザーが鳴って、レーザー光が受光部５の中心Ｏに正しく入光したことを表示する。なお、受光部５の中心Ｏは、左右方向に例えば１ｍｍ程度の幅を有し、この幅内にレーザー光が入光できれば、レーザー光が正しく入光したことになる。また、レーザー光が受光部５の中心Ｏから左側又は右側に逸れた位置で受光されたときは、例えば赤色のダイオードランプ８が点灯し、調整が必要であることを表示する。
【０００５】
【発明が解決しようとする課題】
そして、従来のレーザー受光器Ｂでは、墨出し作業を行うにあたって、墨出し装置本体Ａから照射されるレーザー光を受光部５の中心Ｏに位置合わせするための位置合わせ線９は、図６及び図７に示すように、ケーシング１の内奥部にある受光部５の中心Ｏと前後方向に対向するケーシング１の正面部１ａに、入光窓２の外面と面一状の位置に形成されていることから、レーザー受光器Ｂを墨出し装置本体Ａからのレーザー光が入光するように位置決めする際に、ケーシング１の正面部１ａが図７の（Ａ）のように墨出し装置本体Ａからのレーザー光Ｃと直交するように配置されている時は、レーザー光Ｃを位置合わせ線９に合わせれば、そのレーザー光Ｃをケーシング１内の受光部中心Ｏに入光させることができる。しかし、ケーシング１の正面部１ａが図７の（Ｂ）に示すようにレーザー光Ｃと直交する面に対し傾斜して配置されている時は、レーザー光Ｃを位置合わせ線９に合わせても、そのレーザー光Ｃは、図７の（Ｂ）の拡大図で示すように、実際には受光部５の中心Ｏから左右何れかの方へ距離Ｅだけずれた位置で入光しているため、レーザー受光器１０Ｂを正しい位置に設定できず、正確な墨出しが行えないと云う問題がある。
【０００６】
本発明は、上記に鑑み、墨出し装置本体からのレーザー光に対してレーザー受光器を位置決めする際に、レーザー受光器が多少傾いて配置された場合でも、レーザー光を受光部の中心に正しく入光させることができるレーザー受光器を提供することを目的すとる。
【０００７】
【課題を解決するための手段】
請求項１に係る発明は、ケーシング１１の正面側所要部に入光窓２が設けられ、その内部に濾波用フィルター３，４を介して受光部５が内蔵されていて、墨出し装置本体Ａから照射されたレーザー光Ｃが入光窓２より入光して受光部５の中心で受光されたとき、所定の受光信号が発せられるようになっている墨出し装置用のレーザー受光器において、ケーシング１１の正面側には、凹所底面１２ａが前記受光部５の受光面と略面一状態となるような凹所１２を設け、この凹所底面１２ａに、墨出し装置本体Ａから照射されるレーザー光Ｃを受光部５の中心Ｏに位置合わせするための位置合わせ線９を形成してなることを特徴とする。
【０００８】
請求項２は、請求項１に記載の墨出し装置用のレーザー受光器において、前記凹所１２は、ケーシング１１正面側における入光窓２、濾波用フィルター３，４及び受光部５が配設される領域を挟んでその上下両側に設けてあることを特徴とする。
【０００９】
【発明の実施の形態】
図１は本発明に係る墨出し装置用のレーザー受光器１０Ｂを示す正面側から見た外観斜視図、図２は正面図、図３は平面図、図４は側面図である。これらの図から分かるように、このレーザー受光器１０Ｂは、従来のレーザー受光器Ｂと概ね同じように略六面体からなるケーシング１１を有し、このケーシング１１の正面部１１ａに入光窓２が設けられ、この入光窓２の内部に濾波用フィルター３，４が配設され、更にその内部に受光部５が内蔵されている。濾波用フィルター３，４及び受光部５については、図６及び図７に示す従来のレーザー受光器Ｂと同じである。
【００１０】
ケーシング１１の正面部側には、入光窓２、濾波用フィルター３，４及び受光部５が配設される領域を挟んでその上下両側に、凹所底面１２ａが受光部５の受光面と略面一状態となるような凹所１２が設けられていて、各凹所底面１２ａに、墨出し装置本体Ａ（図８参照）から照射されるレーザー光Ｃを受光部５の中心Ｏに位置合わせするための位置合わせ線９が形成され、しかして各位置合わせ線９は、図３及び図４から分かるように、ケーシング１１に内蔵された受光部５の受光面と略面一上に位置することになる。
【００１１】
また、図１に示すように、上側の凹所底面１２ａには、位置合わせ線９上に緑色ダイオードランプ７が配設され、この緑色ダイオードランプ７の左右両側に赤色ダイオードランプ８，８が配設され、これらは図６に示す従来のレーザー受光器Ｂの場合と同様であって、墨出し装置本体Ａからのレーザー光が受光部５の中心Ｏに入光してそこで受光されたときは、緑色のダイオードランプ７が点灯し、同時にブザーが鳴って、レーザー光が受光部５の中心Ｏに正しく入光したことを表示する。また、レーザー光が受光部５の中心Ｏから左側又は右側に逸れた位置で受光されたときは、赤色のダイオードランプ８が点灯し、入光位置が不正確で、レーザー受光器１０Ｂの位置調整が必要であることを表示する。
【００１２】
また図１〜図３において、１３はケーシング１１内の一端部側に着脱自在に収納された電池、１４はオン・オフ切替スイッチであり、１５は通電表示ランプ、１６は電池残量警告表示ランプである。
【００１３】
上記のように構成される墨出し装置用レーザー受光器１０Ｂの使用については、図８で説明した従来のレーザー受光器Ｂの場合と同様であって、基礎面上に基準墨を入れる場合には、基礎面の基準点上に墨出し装置本体Ａの中心を合わせて設置し、もう一方の基準点上にレーザー受光器１０Ｂの位置合わせ線９を合わせて設置した後、墨出し装置本体Ａの１つの出射孔からレーザー光Ｃをレーザー受光器１０Ｂに向けて照射する。この時、レーザー光Ｃがレーザー受光器１０Ｂの中心に正しく入光されると、緑色のダイオードランプ７が点灯し、点灯しブザーが鳴って、設置を完了する。その後、Ｘ側にあったレーザー受光器１０ＢをＹ側へ９０度移動し、墨出し装置本体Ａのもう１つの出射孔からのレーザー光が入光するように位置合わせ線９をレーザー光Ｃに合わせて位置決めする。
【００１４】
このようなレーザー受光器１０Ｂの使用に際し、レーザー受光器１０Ｂのケーシング１１の正面部１１ａが墨出し装置本体Ａからのレーザー光Ｃと直交するように配置されている時は云うまでもないが、図５に示すように、そのケーシング１１の正面部１１ａがレーザー光Ｃと直交する面に対し傾斜して配置されている場合でも、レーザー光Ｃを、ケーシング正面部１１ａの凹所底面１２ａに形成された位置合わせ線９に合わせさえすれば、この位置合わせ線９はケーシング１１内部にある受光部５の受光面と略面一上に位置するから、レーザー光Ｃを受光部５の中心Ｏに正しく入光させることができ、正確な墨出し作業を行うことができる。
【００１５】
また、このレーザー受光器１０Ｂでは、ケーシング１１の正面部１１ａにおける入光窓２、濾波用フィルター３，４及び受光部５が配設される領域を挟んでその上下両側に凹所１２を設けて、各凹所底面１２ａに位置合わせ線９を形成したことにより、位置合わせ線９がケーシング１１正面側の上下２箇所に位置することになって、墨出し装置本体Ａからのレーザー光Ｃに対する位置合わせ線９の位置合わせが容易となる。
【００１６】
【発明の効果】
請求項１に係る発明のレーザー受光器によれば、ケーシングの正面側に底面が受光部の受光面と略面一状態となるような凹所を設け、この凹所底面に、墨出し装置本体から照射されるレーザー光を受光部の中心に位置合わせするための位置合わせ線を形成したことによって、墨出し装置本体からのレーザー光が受光部の中心に入光するようにレーザー受光器を位置決めする際に、レーザー受光器が多少傾いて配置された場合でも、レーザー光を受光部の中心に正しく入光させることができ、それにより正確な墨出し作業を行うことができる。
【００１７】
請求項２に係る発明のレーザー受光器によれば、凹所を、ケーシング正面側における入光窓、濾波用フィルター及び受光部が配設される領域を挟んでその上下両側に設けることによって、レーザー光に対する位置合わせ線の位置合わせを容易に行うことができる。
【図面の簡単な説明】
【図１】  本発明に係る墨出し装置用のレーザー受光器を正面側から見た外観斜視図である。
【図２】  同レーザー受光器の正面図である。
【図３】  同レーザー受光器の平面図である。
【図４】  同レーザー受光器の側面図である。
【図５】  同レーザー受光器の使用方法を示す平面図である。
【図６】  従来のレーザー受光器を正面側から見た外観斜視図である。
【図７】  従来のレーザー受光器の一部拡大横断面図で、（Ａ）はケーシング前面部が墨出し装置本体からレーザー光と直交する正しい位置に設置されたときの状態を示し、（Ｂ）はケーシングが傾いた状態に設置されているときの状態を示す。
【図８】  墨出し装置の使用方法を説明する説明図である。
【符号の説明】
Ａ            墨出し装置本体
Ｂ            従来のレーザー受光器
１            従来のレーザー受光器のケーシング
２            入光窓
３，４        濾波用フィルター
５            受光部
Ｏ            受光部の中心
９            位置合わせ線
１０Ｂ        本発明のレーザー受光器
１１          同レーザー受光器のケーシング
１２          同レーザー受光器の凹所
１２ａ        凹所底面
【図１】
0004270701.tif 000002
【図２】
0004270701.tif 000003
【図３】
0004270701.tif 000004
【図４】
0004270701.tif 000005
【図５】
0004270701.tif 000006
【図６】
0004270701.tif 000007
【図７】
0004270701.tif 000008
【図８】
0004270701.tif 000009